(57)【要約】      （修正有）【課題】真空状態を長期間保持し、食物の鮮度を保持できる貯蔵タンクの減圧装置を提供する。【解決手段】減圧装置は、ケーシング、シールリング、エアポンプアッセンブリ、電気スイッチボタン、排気弁ボタン、圧力弁、圧力弁スプリング及び圧力弁連動スイッチを含む。シールリング１２がケーシングの底部に固定され、エアポンプアッセンブリ１３の吸気管が貯蔵タンクと連なり、エアポンプアッセンブリが電気スイッチボタン１４と電気的に接続され、電気スイッチボタンと排気弁ボタン１５がケーシングの頂部から伸び、ケーシングには貯蔵タンクと連なる第一密閉パイプが設置され、圧力弁１６が第一密閉パイプの内部に取り付けられ、圧力弁スプリングが第一密閉パイプと圧力弁との間に固定され、圧力弁連動スイッチ１７と圧力弁が整列し、圧力弁連動スイッチと電気スイッチボタンが直列接続される。【選択図】図２
0003203914.tif 000002
【実用新案登録請求の範囲】
【請求項１】
ケーシング、シールリング、エアポンプアッセンブリ、電気スイッチボタン、排気弁ボタン、圧力弁、圧力弁スプリング及び圧力弁連動スイッチを含む貯蔵タンクの減圧装置において、
前記ケーシングの底部が前記貯蔵タンクの開口部に挿入された挿入部であり、
前記シールリングが前記挿入部に固定され、
前記エアポンプアッセンブリが前記ケーシングの内部に固定され、
前記エアポンプアッセンブリの吸気管が前記貯蔵タンクと連なり、
前記エアポンプアッセンブリが電気スイッチボタンと電気的に接続され、前記電気スイッチボタン及び前記排気弁ボタンが前記ケーシングの頂部から伸び、便利な操作をするようになり、
前記ケーシングには前記貯蔵タンクと連なる第一密閉パイプが設置され、
前記圧力弁が前記第一密閉パイプの内部に取り付けられ、
前記圧力弁スプリングの一端部が前記第一密閉パイプの底部に当接し、他端部が前記圧力弁の頂部に当接し、
前記圧力弁連動スイッチ及び前記圧力弁が整列され、
前記圧力弁連動スイッチ及び前記電気スイッチボタンが直列接続されることを特徴とする、貯蔵タンクの減圧装置。
【請求項２】
更に、前記シールリングの内側に支えられるシールリングフレーム及びシールリングフレームの中心部に固定されたシールリングスイッチボタンを含むことを特徴とする、請求項１に記載の貯蔵タンクの減圧装置。
【請求項３】
更に、引上げバックルを含み、
該引上げバックルが、回転軸によって、前記ケーシングの頂部に設置された引上げバックル固定位置に取り付けられ、
前記引上げバックルにトリガ片及びトリガレバーが設置され、
該引上げバックルが前記引上げバックル固定位置に密接する時、前記トリガ片が前記シールリングスイッチボタンを押さえつけ、前記トリガレバーが前記電気スイッチボタンに当接することを特徴とする、請求項２に記載の貯蔵タンクの減圧装置。
【請求項４】
前記エアポンプアッセンブリがモータ、斜歯歯車、円歯車及びポンプを含み、
前記モータの出力端子が前記斜歯歯車と固定して接続され、
該斜歯歯車と前記円歯車とがかみ合い、
前記ポンプがスリーブ及びスリーブの内部に取り付けられたピストンを含み、該ピストンの一つの端部が前記円歯車のへりに固定されることを特徴とする、請求項１に記載の貯蔵タンクの減圧装置。
【請求項５】
前記ケーシングの内部に前記貯蔵タンクと連なる第二密閉パイプが設置され、
前記排気弁ボタンが前記第二密閉パイプの内部に取り付けられ、
前記第二密閉パイプの内部に排気弁ボタンスプリングが設置され、
前記排気弁ボタンスプリングの一端部が前記第二密閉パイプの底部に当接し、他端部が前記排気弁ボタンの頂部に当接し、
前記第二密閉パイプに第一通気孔が設置され、
前記排気弁ボタンに第二通気孔が設置され、
前記排気弁ボタンを押さえつける時、前記第二通気孔と前記第一通気孔とが整列されることを特徴とする、請求項１に記載の貯蔵タンクの減圧装置。
【請求項６】
前記ケーシングは、上ハウジング及び下ハウジングを含み、
前記上ハウジングと前記下ハウジングとがボルトで締められ、
前記下ハウジングにシールリング固定位置が設置され、
前記シールリングが前記シールリング固定位置に取り付けられることを特徴とする、請求項１に記載の貯蔵タンクの減圧装置。
【考案の詳細な説明】
【技術分野】
【０００１】
本考案は、生活用品の分野に関し、特に真空状態下で食物を貯蔵する装置に関するものである。
【背景技術】
【０００２】
貯蔵タンクは、物品を貯蔵する容器であり、主に食物や防湿物品を貯蔵することに用いられる。一般的には、貯蔵タンクの気密性が優れていれば、鮮度を保つ効果を奏することが可能である。実際には、普通の貯蔵タンクが気密性があるにもかかわらず、貯蔵タンクの内部に酸素があることは、鮮度の保持に影響を与える主な要因の一つとなる。
【０００３】
貯蔵タンクの鮮度を保つ効果を高めるために、真空にする方式を採用して、酸素が食物と接触することを防止して、食物の鮮度が保持される時間を延長するようになる。
【考案の概要】
【考案が解決しようとする課題】
【０００４】
しかしながら、従来技術において、減圧装置を利用して、貯蔵タンクを真空にした後、時間が経つに従って、特に気密性が悪い時、空気が貯蔵タンクに入りやすいので、貯蔵タンクの鮮度を保つ役割が破壊される。
【課題を解決するための手段】
【０００５】
本考案の目的は、貯蔵タンクの真空状態を長期間保持させることができる減圧装置、及び貯蔵タンクで食物の鮮度を長期間保つ方法を提供することである。
【０００６】
上記の目的を実現するために、本考案は、貯蔵タンクの減圧装置を提供する。貯蔵タンクの減圧装置は、ケーシング、シールリング、エアポンプアッセンブリ、電気スイッチボタン、排気弁ボタン、圧力弁、圧力弁スプリング及び圧力弁連動スイッチを含む。ケーシングの底部が貯蔵タンクの開口部に挿入された挿入部であり、シールリングが挿入部に固定され、エアポンプアッセンブリがケーシングの内部に固定され、エアポンプアッセンブリの吸気管が貯蔵タンクと連なり、エアポンプアッセンブリが電気スイッチボタンと電気的に接続され、電気スイッチボタン及び排気弁ボタンがケーシングの頂部から伸ばして、便利な操作をするようになり、ケーシングには貯蔵タンクと連なる第一密閉パイプが設置され、圧力弁が第一密閉パイプの内部に取り付けられ、圧力弁スプリングの一端部が第一密閉パイプの底部に当接し、他端部が圧力弁の頂部に当接し、圧力弁連動スイッチ及び圧力弁が整列され、圧力弁連動スイッチ及び電気スイッチボタンが直列接続される。
【０００７】
貯蔵タンクの減圧装置は、更に、シールリングの内側に支えられるシールリングフレーム及びシールリングフレームの中心部に固定されたシールリングスイッチボタンを含む。
【０００８】
貯蔵タンクの減圧装置は、引上げバックルを含み、該引上げバックルが、回転軸によって、ケーシングの頂部に設置された引上げバックルの固定位置に取り付けられ、引上げバックルにトリガ片及びトリガレバーが設置され、該引上げバックルが引上げバックルの固定位置に密接する時、トリガ片がシールリングスイッチボタンを押さえつけ、トリガレバーが電気スイッチボタンに当接する。
【０００９】
貯蔵タンクの減圧装置は、更に、エアポンプアッセンブリがモータ、斜歯歯車、円歯車及びポンプを含み、モータの出力端子が斜歯歯車と固定して接続され、該斜歯歯車と円歯車とがかみ合い、ポンプがスリーブ及びスリーブの内部に取り付けられたピストンを含み、該ピストンの一つの端部が円歯車のへりに固定される。
【００１０】
更に、ケーシングの内部に貯蔵タンクと連なる第二密閉パイプが設置され、排気弁ボタンが第二密閉パイプの内部に取り付けられ、第二密閉パイプの内部に排気弁ボタンスプリングが設置され、排気弁ボタンスプリングの一端部が第二密閉パイプの底部に当接し、他端部が排気弁ボタンの頂部に当接し、第二密閉パイプに第一通気孔が設置され、排気弁ボタンに第二通気孔が設置され、排気弁ボタンを押さえつける時、第二通気孔と第一通気孔とが整列される。
【００１１】
本考案のある形態では、ケーシングは、上ハウジング及び下ハウジングを含み、上ハウジングと下ハウジングとがボルトで締められ、下ハウジングにシールリング固定位置が設置され、シールリングがシールリング固定位置に取り付けられる。
【００１２】
本考案の貯蔵タンクの減圧装置は、エアポンプアッセンブリによって、貯蔵タンクの内部の空気を抜き、貯蔵タンクの内部に酸素は無い真空状態を保たせ、食物の鮮度を保つことができる。そして、貯蔵タンクの減圧装置に圧力弁及び圧力弁連動スイッチが設置されるので、貯蔵タンクの内部の気圧によって、エアポンプアッセンブリのスイッチを自動的に制御することができる。貯蔵タンクの内部の気圧は、圧力弁が第一密閉パイプで下がり、圧力弁連動スイッチが圧力弁の移動に従って、オフになり、貯蔵タンクの減圧装置の作動が停止するまで徐々に小さくなる。貯蔵タンクに空気が入られると、貯蔵タンクの内部の気圧は増加する。圧力弁は、第一密閉パイプで、圧力弁連動スイッチをオンにするまで上昇する。ひいては、エアポンプアッセンブリが再起動され、引き続き作動をする。圧力弁と圧力弁連動スイッチとの自動的な制御によって、貯蔵タンクが長期間に真空状態を保つことができるので、有効かつ長期的に食物の鮮度を保つことができる。
【図面の簡単な説明】
【００１３】
【図１】本考案の貯蔵タンクの減圧装置の構造を示す図である。
【図２】本考案の貯蔵タンクの減圧装置の内部構造を示す図である。
【図３】本考案の貯蔵タンクを利用して、食物の鮮度を長期間に保つ方法のフローチャートである。
【考案を実施するための形態】
【００１４】
図１および図２を参照すると、本考案の実施例では、貯蔵タンクの減圧装置は、ケーシング１１、シールリング１２、エアポンプアッセンブリ１３、電気スイッチボタン１４、排気弁ボタン１５、圧力弁１６、圧力弁スプリング及び圧力弁連動スイッチ１７を含む。ケーシング１１の底部が貯蔵タンクの開口部に挿入された挿入部であり、シールリング１２が挿入部に固定される。エアポンプアッセンブリ１３がケーシング１１の内部に固定され、電気スイッチボタン１４と電気的に接続される。エアポンプアッセンブリ１３の吸気管が貯蔵タンクと連なる。電気スイッチボタン１４及び排気弁ボタン１５がケーシング１１の頂部から伸び、便利な操作をするようになる。ケーシング１１には貯蔵タンクと連なる第一密閉パイプが設置される。圧力弁１６が第一密閉パイプの内部に取り付けられる。圧力弁スプリングの一端部が第一密閉パイプの底部に当接し、他端部が圧力弁１６の頂部に当接する。圧力弁連動スイッチ１７及び圧力弁１６が整列され、圧力弁連動スイッチ１７及び電気スイッチボタン１４が直列接続される。
【００１５】
前記貯蔵タンクの減圧装置の作動原理は、次のとおりである。ケーシング１１の挿入部を貯蔵タンクの開口部に挿入して、貯蔵タンクの減圧装置に貯蔵タンクと密封に接続させる。電気スイッチボタン１４を押すと、エアポンプアッセンブリ１３が始動され、吸気管によって、貯蔵タンクの内部の空気を抜く。貯蔵タンクの内部の気圧は、圧力弁１６が第一密閉パイプで下がり、圧力弁連動スイッチ１７が圧力弁１６の移動に従って、オフになり、貯蔵タンクの減圧装置の作動が停止するまで徐々に小さくなる。しばらく据えて置かれた後、貯蔵タンクに空気が入られると、貯蔵タンクの内部の気圧は増加する。一定の気圧に増加すると、圧力弁１６は、第一密閉パイプで上昇して、圧力弁連動スイッチ１７をオンにする。この時、エアポンプアッセンブリ１３は、再起動され、圧力弁連動スイッチ１７が再度オフになり、貯蔵タンクの減圧装置の作動が停止するまで引き続き作動をする。このような作業を繰り返すことにより、貯蔵タンクの内部は始終真空状態を保っている。
【００１６】
従来技術と比べて、本考案の貯蔵タンクの減圧装置は、エアポンプアッセンブリ１３によって、貯蔵タンクの内部の空気を抜き、貯蔵タンクの内部に酸素は無い真空状態を保たせ、食物の鮮度を保つことができる。そして、貯蔵タンクの減圧装置に圧力弁１６及び圧力弁連動スイッチ１７が設置されるので、貯蔵タンクの内部の気圧によって、エアポンプアッセンブリ１３のスイッチを自動的に制御することができる。貯蔵タンクの内部の気圧は、圧力弁１６が第一密閉パイプで下がり、圧力弁連動スイッチ１７が圧力弁１６の移動に従って、オフになり、貯蔵タンクの減圧装置の作動が停止するまで徐々に小さくなる。貯蔵タンクに空気が入られると、貯蔵タンクの内部の気圧は増加する。圧力弁１６は、第一密閉パイプで、圧力弁連動スイッチ１７をオンにするまで上昇する。ひいては、エアポンプアッセンブリ１３が再起動され、引き続き作動をする。圧力弁１６と圧力弁連動スイッチ１７との自動的な制御によって、貯蔵タンクが長期間に真空状態を保つことができるので、有効かつ長期的に食物の鮮度を保つことができる。
【００１７】
本実施例において、貯蔵タンクの減圧装置は、シールリングスイッチボタン１９及びシールリングフレーム２０を含む。シールリングスイッチボタン１９がシールリングフレーム２０の中心部に固定され、シールリングフレーム２０がシールリング１２の内側に支えられる。
【００１８】
具体的には、貯蔵タンクの減圧装置は、更に引上げバックル１８を含む。ケーシング１１の頂部に引上げバックルの固定位置が設置される。引上げバックル１８が、二つの回転軸によって引上げバックルの固定位置に取り付けられる。引上げバックル１８にトリガ片１８１及びトリガレバー１８２が設置される。引上げバックル１８が引上げバックルの固定位置に密接する時、トリガ片１８１がシールリングスイッチボタン１９を押さえつけ、トリガレバー１８２が電気スイッチボタン１４に当接する。
【００１９】
引上げバックル１８は、設計が巧みであり、電気スイッチボタン１４及びシールリングスイッチボタン１９を同時に制御することができる。引上げバックル１８が回転軸を囲んでケーシング１１の頂部に対して回転することができる。引上げバックル１８が閉じ状態になり、つまりケーシング１１の頂部に密接する時に、引上げバックル１８のトリガ片１８１がシールリングスイッチボタン１９を押さえつける。シールリングフレーム２０がシールリング１２を周りに拡張して、貯蔵タンクとケーシング１１との接続される気密性を高めることができる。同時に、トリガレバー１８２が電気スイッチボタン１４を押さえつけ、エアポンプアッセンブリ１３の回路がオンされる。
【００２０】
本実施例においては、エアポンプアッセンブリ１３がモータ１３１、斜歯歯車１３２、円歯車１３３及びポンプ１３４を含む。モータ１３１の出力端子が斜歯歯車１３２と固定して接続され、斜歯歯車１３２と円歯車１３３とがかみ合う。ポンプ１３４がスリーブ及びスリーブの内部に取り付けられたピストンを含む。ピストンの一つの端部が円歯車１３３のへりに固定される。モータ１３１は、斜歯歯車の１３２によって円歯車１３３に回転させ、ピストンにスリーブの内部において、往復循環運動させ、空気を抜く動作を実現する。もちろん、これは本考案の一つの具体的な実施例だけであり、本考案のエアポンプアッセンブリ１３の結構がこれに制限されなくて、真空にする動作を実現できるその他の装置であってもよい。
【００２１】
本実施例において、ケーシング１１の内部に貯蔵タンクと連なる第二密閉パイプが設置され、排気弁ボタン１５が第二密閉パイプの内部に取り付けられる。第二密閉パイプの内部に排気弁ボタンスプリングが設置される。排気弁ボタンスプリングの一端部が第二密閉パイプの底部に当接し、他端部が排気弁ボタン１５の頂部に当接する。第二密閉パイプに第一通気孔が設置され、排気弁ボタン１５に第二通気孔が設置される。
【００２２】
排気弁ボタン１５を押さえつける時、第二通気孔と第一通気孔とが整列される。外界の空気が二つの通気孔を通して貯蔵タンクの内部に入り、貯蔵タンクの内部の気圧が回復されるので、貯蔵タンクを手軽に開けることができる。
【００２３】
本実施例において、ケーシング１１は、上ハウジング１１１及び下ハウジング１１２を含む。上ハウジング１１１と下ハウジング１１２とがボルトで締められる。上ハウジング１１１と下ハウジング１１２とは、収容空間が形成され、作動部品が収容空間の内部に取り付けられる。下ハウジング１１２にシールリング１２の固定位置が設置される。シールリング１２がシールリング１２の固定位置に取り付けられる。
【００２４】
図３を参照すると、本考案は、貯蔵タンクで食物の鮮度を長期間に保つ方法を提供する。該方法が下記のステップを含む。
【００２５】
ステップ１：貯蔵タンクの開口部に一方向通気バルブが設置された密封底蓋が取り付けられる。
【００２６】
ステップ２：密封底蓋の頂部に中間密封安全カバーが固定され、中間密封安全カバーの底部が密封底蓋と隙間なく接続される。
【００２７】
ステップ３：中間密封安全カバーの頂部に、上記のような貯蔵タンクの減圧装置を取り付け、貯蔵タンクの減圧装置のケーシング１１の挿入部を中間密封安全カバーの内部に挿入する。
【００２８】
ステップ４：貯蔵タンクの減圧装置の電気スイッチボタン１４を押さえつけると、エアポンプアッセンブリ１３が始動され、貯蔵タンクの内部の空気を抜く。
【００２９】
ステップ５：貯蔵タンクの内部の気圧は、圧力弁１６が第一密閉パイプで下がり、圧力弁連動スイッチ１７が圧力弁１６の移動に従って、オフになり、貯蔵タンクの減圧装置の作動が停止するまで徐々に小さくなる。
【００３０】
ステップ６：中間密封安全カバー及び貯蔵タンクの減圧装置を取り外して、貯蔵タンクが真空状態を保つことができ、中間密封安全カバー及び貯蔵タンクの減圧装置は、その他の貯蔵タンクを続けて真空にすることができる。
【００３１】
従来技術と比べて、本考案の貯蔵タンクで食物の鮮度を長期間に保つ方法において、各々の貯蔵タンクは密封底蓋が取り付けられる。密封底蓋、中間密封安全カバー及び貯蔵タンクの減圧装置が分離することができる構造である。貯蔵タンクの減圧装置が真空にする動作を完成した後、中間密封安全カバー及び貯蔵タンクの減圧装置を貯蔵タンクから分離することができ、その他の貯蔵タンクに操作を行うようになる。一つの中間密封安全カバー及び一つの貯蔵タンクの減圧装置を利用して、複数の密封底蓋に配して、複数の貯蔵タンクを作動状態にならせるので、各々の貯蔵タンクが、貯蔵タンクの減圧装置を配合する必要はない。従って、大量の資源を節約して、使用のコストを下げる。
【００３２】
ステップ６を行った後、一定の時間ごとに、真空にする操作を行った貯蔵タンクにステップ２〜ステップ６を繰り返し行う。中間密封安全カバー及び貯蔵タンクの減圧装置を接続した後、貯蔵タンクの減圧装置が貯蔵タンクの真空環境を測定する。空気が入ると、圧力弁１６及び圧力弁連動スイッチ１７が制御する下に、再びに真空にする動作を行い、貯蔵タンクの真空環境を長期間に保持するようになる。
【００３３】
貯蔵タンクを開ける必要がある時に、真空にする操作を行った貯蔵タンクにステップ２及びステップ３を繰り返し行い、その後、貯蔵タンクの減圧装置の排気弁ボタン１５を押さえつける。中間密封安全カバー及び貯蔵タンクの減圧装置を再びに接続した後、貯蔵タンクの内部の気圧が回復されるので、貯蔵タンクを手軽に開けることができる。
【００３４】
ステップ１において、一方向通気バルブの密封底蓋にダブルシールリング１２が設置され、ダブルシールリング１２が、貯蔵タンクの開口部と密封底蓋との間の隙間に充填される。ダブルシールリング１２が貯蔵タンクの開口部の気密性を確保することができるので、真空にする効率及び真空が保持された時間を高めることができる。
【００３５】
本考案のいくつかの実施形態に関する上述の説明及び実例は一例であり、本考案は示された又は説明された詳細そのものに限定されない。利用可能な技術的手段を用いる当業者によってなされる、上記開示に対する如何なる均等な変形も、本考案の保護範囲に属する。
【図３】
0003203914.tif 000003
【図１】
0003203914.tif 000004
【図２】
0003203914.tif 000005